(57)【要約】【課題】  複数の入出力端子類と接続されるコード類の引き出し位置を背面筐体の下側で下向きに統一すると共に、前記コード類の引き出し部を覆う横長で撓み易いカバー部材が不用意な外力を受けて撓み、該カバー部材を係止する係止爪部が外れてしまうことを防止する外れ防止機構を設けることにより、着脱が容易で外力では外れ難いカバー部材の係止手段を実現することで美観に優れ、且つ薄型でスタンド型や壁掛け型に適した液晶型テレビを提供することを目的とする。【解決手段】  背面筐体５の下側に設けた段差凹部１１の下向きの壁面１２に配置した複数の入出力端子類７と接続して引き出されるコード類８を覆う横長で撓み易いカバー部材６と、前記背面筐体５とを係止する係止爪部４２，５２が後退して外れること防止するために、前記背面筐体５側に前記係止爪部４２，５２が後退することを抑制する抑制用壁２０を設けた。【選択図】      図１
2006067380.tif 000002
【特許請求の範囲】
【請求項１】
筐体の前面に配置された液晶表示部と、前記筐体の底面において着脱可能なスタンドと、下側に横長の段差凹部を形成した背面筐体と、前記段差凹部の下向きの壁面に開口した開口窓から外部に導出される複数の入出力端子類及び／または電源コードと、前記段差凹部を覆うカバー部材と、該カバー部材と前記背面筐体とを着脱可能に係止するために前記カバー部材に一体形成する係止手段とを備えた液晶型テレビにおいて、前記係止手段は前記カバー部材の両横端から前記段差凹部の横壁面側に突き出して該カバー部材と一体的に形成された複数の係止爪部と、該係止爪部に対応して前記段差凹部に形成する複数の係合孔とから成り、前記段差凹部には前記係止爪部と前記係合孔との係合後、前記係止爪部の係合解除方向の動きを抑制する抑制用壁を一体形成したことを特徴とするカバー部材の係止手段を備えた液晶型テレビ。
【請求項２】
前記係止爪部は前記カバー部材の一端側に形成するＬ字型の差込片と、前記カバー部材の他端側に形成するバネ性を有するＵ字型のフック片とで構成され、これら差込片とフック片が少なくとも前記カバー部材の下端縁寄りに配置されるとともに、前記差込片を挿入して前記カバー部材の一端を引っ掛ける前記係合孔と、フック片と係止して該カバー部材を固定する前記係合孔とが前記段差凹部の立ち上り壁に形成され、その立ち上り壁と対向して前記抑制用壁が一体形成されていることを特徴とする請求項１記載のカバー部材の係止手段を備えた液晶型テレビ。
【請求項３】
前記抑制用壁の高さは前記係合孔の上部高さと概ね一致していると共に、前記Ｌ字型差込片の背面には背面板が形成してあり、前記差込片が前記抑制用壁と前記背面板との間隔より長く形成されると共に、前記フック片が前記抑制用壁と前記Ｕ字型の背面との間隔より長く形成されていることを特徴とする請求項２記載のカバー部材の係止手段を備えた液晶型テレビ。
【請求項４】
前記抑制用壁は前記差込片とフック片を囲う枠型に形成したことを特徴とする請求項３記載のカバー部材の係止手段を備えた液晶型テレビ。
【発明の詳細な説明】
【技術分野】
【０００１】
本発明は、薄型でスタンド型や壁掛け型として利用できる液晶型テレビにおいて、特に液晶型テレビと複数の外部家電機器とを接続する多数のコード類を入出力端子と接続して引き出す位置を前記液晶型テレビの下側で下向きに統一して乱雑になり易い前記接続コード類の配置を整理し、これら多数のコード類の接続部を覆い隠す幅広なカバー部材を設けて接続部を保護すると共に該テレビの美観を高め、該カバー部材を着脱する際は簡単容易な操作で行え、且つ幅広で撓み易いカバー部材を取り付けた後は不用意な外力が加わっても簡単に外れないカバー部材の係止手段を備えた液晶型テレビに関する。
【背景技術】
【０００２】
従来から物を収容する容器とそれを覆うカバー部材には係止爪部と係合孔を係合して係止する方法が多用されてきた。このような容器とカバー部材との係止方法については、たとえば次のような従来技術が知られている。特許文献１には、図８に示すように、図示しない乾電池を収納する電池ケースの筐体４とこれを覆う平面状のカバー部材６が備えられている。前記筐体４には前記乾電池を収納する凹部１０があり、この凹部１０の一端側の上縁には前記カバー部材６の一端側の２箇所に形成された差込片４４が嵌挿される係合孔１７が２箇所開口し、前記係合孔１７に前記差込片４４が嵌挿されて係止することを可能とし、また、前記カバー部材６の他端側には略Ｕ字型に突き出してバネ性を持たせたＵ字型係止爪部５２の一部に形成されたフック片５４が配置されていると共に、前記凹部１０の他端側の上縁には、前記フック片５４と係合する係合溝１９が形成され、前記Ｕ字型の先端部側を指先で操作することにより着脱可能に係合している。
【０００３】
また、従来の液晶型テレビにおいても、液晶表示部を前面に配置した筐体の背面には図９に示す背面筐体５が配置され、前記背面筐体５の下側には横長なカバー部材６が取り付けられている。また前記背面筐体５の下側に形成された段差凹部１１の下向きの壁面１２には図示しない外部の電子機器と接続を可能とする複数の入出力端子類７と電源コード８が下向きに配置されている。前記段差凹部１１とカバー部材６の下端縁の間には前記端子類７と接続される図示しないコード類が下向きに引き出しを可能とするコード引き出し用隙間３０がカバー部材６の下端縁を切り欠いて形成されている。前記背面筐体５の下側に取り付けられるカバー部材６の係止手段について図１０により説明する。図１０は図９に示す背面筐体５とカバー部材６の左側を拡大した一部断面を含む斜視図である。図１０に示す前記横長なカバー部材６の一端側４１にはＬ字型係止爪部４２が形成されており、前記段差凹部１１の一端側の壁面１５には前記Ｌ字型係止爪部４２の差込片４４を係合する係合孔１７が開口している。また、図１１は図９に示す背面筐体５とカバー部材６の右側を拡大した一部断面を含む斜視図である。図１１に示す前記カバー部材６の他端側５１にはＵ字型係止爪部５２が形成されていると共に、該係止爪部５２のフック片５４と係合する係合孔１７が前記段差凹部１１の他端側の壁面１６に開口し、前記カバー部材６は図１２の断面図に示すように背面筐体５に係止されている。
【０００４】
【特許文献１】実開昭５２−３４０４１号公報
【発明の開示】
【発明が解決しようとする課題】
【０００５】
前記特許文献１の従来技術によれば、乾電池などを収納する電池ケース筐体４の凹部１０の一端側の上縁には係合孔１７が２箇所開口し、開口部を覆う平面状のカバー部材６の一端側の２箇所に形成された差込片４４が嵌挿されて係止する。また、カバー部材６の他端側にバネ性を持たせたＵ字型係止爪部５２が配置され、その一部にフック片５４が形成されていると共に、前記電池ケース筐体４の凹部１０の他端側の上縁には係合溝１９が形成され、前記フック片５４と前記係合溝１９が係合して係止する。このようにカバー部材６の両端側に設けた係止構造により電池ケースのカバー部材６のように小さくて撓む恐れの無い大きさにおいては、カバー部材６が撓んでも略Ｕ字型のバネ性を持たせたフック片５４が押し当てられており、前記差込片４４及び前記フック片５４が外れてしまうといった恐れは無いが、このカバー部材６と該カバー部材６に付随する係止構造をそのまま大きくして液晶型テレビの背面を幅方向に覆うといった場合は、前記平面状のカバー部材６が大きく撓み易くなることにより差込片４４やフック片５４が係合孔１７に届かなくなって外れてしまうといった問題がある。
【０００６】
また、前記図９に示した液晶型テレビの背面筐体に横長なカバー部材を取り付ける係止手段において、カバー部材６を背面筐体５に取り付けるときは、前記カバー部材６のＬ字型係止爪部４２の差込片４４を前記係合孔１７に先に嵌挿し、続いて前記Ｕ字型係止爪部５２を係合孔１７に嵌挿するといった簡単な手順で行うことが出来る。しかし、図１３のようにカバー部材６に対して前記液晶型テレビの後側方向、図１３では矢印方向に外力（Ｆ）が働くと、前記横長で撓み易いカバー部材６は前記後側に大きく撓み、前記Ｌ字型係止爪部４２の差込片４４や前記Ｕ字型係止爪部５２のフック片５４が係合孔１７から外れ易いといった問題点を抱えていた。
【０００７】
本発明は、前記特許文献１における電池ケースのような平板状のカバー部材の係止構造をそのまま液晶型テレビの筐体背面のカバー部材に適用すれば、前記カバー部材は撓み易くなって差込片やフック片が外れ易くなってしまうといった問題があり、また、従来例のように液晶型テレビにおいて背面筐体の下側に下向きに設けた複数の入出力端子類と接続されるコード類や電源コードの引き出し部を覆う横長で撓み易いカバー部材が不用意な外力（Ｆ）により外れてしまうといった問題を解消すると共に、複数の外部家電機器との接続を可能とするために複数のコード類の引き出し位置を前記液晶型テレビの下側で下向きに統一して乱雑になり易い前記接続コード類の配置を整理し、これら複数のコード類の接続部を覆い隠す幅広なカバー部材を設けて接続部を保護すると共に該テレビの美観を高め、該カバー部材を着脱する際は簡単容易な操作で行え、且つ横長で撓み易いカバー部材を取り付けた後は不用意な外力（Ｆ）が加わっても簡単には外れ難いカバー部材の係止手段を備えたことにより、薄型でスタンド型や壁掛け型に適した液晶型テレビを提供することを目的とする。
【課題を解決するための手段】
【０００８】
請求項１に係るカバー部材の係止手段を備えた液晶型テレビにおいて、筐体の前面に配置された液晶表示部と、前記筐体の底面において着脱可能なスタンドと、下側に横長の段差凹部を形成した背面筐体と、前記段差凹部の下向きの壁面に開口した開口窓から外部に導出される複数の入出力端子類および／又は電源コードと、前記段差凹部を覆うカバー部材と、該カバー部材と前記背面筐体とを着脱可能に係止するために前記カバー部材に一体形成する係止手段とを備えた液晶型テレビにおいて、前記係止手段は前記カバー部材の両横端から前記段差凹部の横壁面側に突き出して該カバー部材と一体的に形成された複数の係止爪部と、該係止爪部に対応して前記段差凹部に形成する複数の係合孔とから成り、前記段差凹部には前記係止爪部と前記係合孔との係合後、前記係止爪部の係合解除方向の動きを抑制する抑制用壁を一体形成したことを特徴とする。
【０００９】
請求項１の構成によれば、カバー部材の係止手段を備えた液晶型テレビにおいて、前記カバー部材の係止手段は前記カバー部材の両横端から背面筐体の段差凹部の両横壁面側に突き出して該カバー部材と一体的に形成された複数の係止爪部と、該係止爪部に対応して前記段差凹部に形成する複数の係合孔とから成り、前記係止爪部が前記係合孔に嵌挿されることで係合し、前記カバー部材を前記背面筐体に係止する係止手段を有している。また、前記段差凹部には前記係止爪部と前記係合孔とを係合した後、前記係止爪部の係合解除方向の動きを抑制する抑制用壁を一体形成したことにより、前記段差凹部を覆う横長で撓み易いカバー部材が不用意に外力を受けて撓み、前記係止爪部が外れそうになった場合でも、前記抑制用壁がこの動きを抑制して係止爪部の抜けを防止することが出来る。
【００１０】
本発明の請求項２のカバー部材の係止手段を備えた液晶型テレビは、請求項１記載のカバー部材の係止手段を備えた液晶型テレビにおいて、前記係止爪部は前記カバー部材の一端側に形成するＬ字型の差込片と、前記カバー部材の他端側に形成するバネ性を有するＵ字型のフック片とで構成され、これら差込片とフック片が少なくとも前記カバー部材の下端縁寄りに配置されるとともに、前記差込片を挿入して前記カバー部材の一端を引っ掛ける前記係合孔と、フック片と係止して該カバー部材を固定する前記係合孔とが前記段差凹部の立ち上り壁に形成され、その立ち上り壁と対向して前記抑制用壁が一体形成されていることを特徴とする。
【００１１】
請求項２の構成によれば、前記係止爪部は前記カバー部材の一端側がＬ字型の係止爪部で差込片が形成され、他端側はバネ性を有するＵ字型の係止爪部でフック片が形成されたことにより、カバー部材を前記背面筐体に取り付けるときは、前記Ｌ字型係止爪部の差込片を先に前記係合孔に嵌挿し、続いて前記Ｕ字型係止爪部のフック片を嵌挿することにより前記バネ性を有したＵ字型係止爪部が前記係合孔の縁面と圧接して係合を維持すると共に、前記カバー部材を取り外すときは、前記Ｕ字型係止爪部側のフック片の係合を先に解除してから前記Ｌ字型係止爪部の差込片の係合を解除することで可能となる。また、これら差込片とフック片が少なくとも前記カバー部材の下端縁寄りに配置されるとともに、前記差込片を挿入して前記カバー部材の一端を引っ掛ける前記係合孔と、フック片と係止して該カバー部材を固定する前記係合孔とが前記段差凹部の立ち上り壁に形成され、その立ち上り壁と対向して前記抑制用壁が一体形成されていることにより、前記横長で特に撓み易いカバー部材の下端寄りが不用意に外力を受けて撓み、前記係止爪部が外れそうになった場合でも、前記立ち上り壁と対向して前記係止爪部の背面側に形成した抑制用壁がこの動きを抑制することにより係止爪部が係合孔から外れることを防止することが出来る。
【００１２】
本発明の請求項３のカバー部材の係止手段を備えた液晶型テレビは、請求項２記載のカバー部材の係止手段を備えた液晶型テレビにおいて、前記抑制用壁の高さは前記係合孔の上部高さと概ね一致していると共に、前記Ｌ字型差込片の背面には背面板が形成してあり、前記差込片が前記抑制用壁と前記背面板との間隔より長く形成されると共に、前記フック片が前記抑制用壁と前記Ｕ字型の背面との間隔より長く形成されていることを特徴とする。
【００１３】
請求項３の構成によれば、前記抑制用壁の高さは前記係合孔の上部高さと概ね一致していることによりカバー部材が係止状態にあるときは前記差込片と前記フック片を係止することが出来る。また、前記Ｌ字型係止爪部においては、先端がＬ字型に折れ曲がって突き出して形成した差込片を支持するＬ字型基部で差込片の背面には背面板を形成してあり、前記係止爪部と前記係合孔とが係合しているときは、前記差込片の長さと、前記背面板と前記抑制用壁の間隔との関係は、前記差込片の長さが前記間隔より長いことにより、前記カバー部材が外力により撓み前記差込片が後退しても、差込片の背面側に形成した前記抑制用壁がＬ字型基部の背面板に当接して前記差込片がそれ以上後退することを抑制するので係合が外れることを防止することが出来る。また、前記Ｕ字型係止爪部においても、Ｕ字型基部の先端より突き出したフック片の長さと、Ｕ字形基部でフック片の背面側と前記抑制用壁の間隔との関係は、前記フック片の長さが前記間隔より長いことにより前記カバー部材が外力により撓み前記差込片が後退しても、背面側に形成した前記抑制用壁がＵ字型基部の背面板に当接して前記差込片がそれ以上後退することを抑制するので係合が外れることを防止することが出来る。
【００１４】
本発明の請求項４のカバー部材の係止手段を備えた液晶型テレビは、請求項３記載のカバー部材の係止手段を備えた液晶型テレビにおいて、前記抑制用壁は前記差込片とフック片を囲う枠型に形成したことを特徴とする。
【００１５】
請求項４の構成によれば、前記抑制用壁は前記差込片と前記フック片に対して、該２種類の係止爪部の背面側と両側面側とを囲う枠型に形成したことにより、前記カバー部材を取り付けるときは前記係止爪部の嵌挿位置を案内する壁面としての機能を果たし、係止状態においては前記抑制用壁の強度を補い、且つ係止爪部が側面側と背面側に移動して係合が外れることを抑制することが出来る。
【発明の効果】
【００１６】
請求項１に係るカバー部材の係止手段を備えた液晶型テレビの発明によれば、前記カバー部材の係止手段は、前記カバー部材の両横端から前記両横壁面側に突き出して形成された複数の係止爪部と、該係止爪部と対応して前記段差凹部に形成する複数の係合孔とから成り、前記係止爪部が前記係合孔に嵌挿されることで係合し、前記カバー部材を前記背面筐体に係止する係止手段を備え、更に前記段差凹部には前記係止爪部と前記係合孔とを係合した後、前記係止爪部の係合解除方向の動きを抑制する抑制用壁を一体形成したことにより、前記横長の段差凹部を覆う横長で撓み易いカバー部材が不用意に外力を受けて撓み、前記係止爪部が外れそうになった場合は、前記係止爪部の背面側に形成した抑制用壁がこの動きを抑制することにより係止爪部が係合孔から外れて前記カバー部材が前記背面筐体から離脱することを防止することが出来る。
【００１７】
請求項２に係るカバー部材の係止手段を備えた液晶型テレビの発明によれば、前記係止爪部は前記カバー部材の一端側にＬ字型の差込片が形成され、他端側はバネ性を有するＵ字型のフック片が形成されており、カバー部材を前記背面筐体に取り付けるときは、前記Ｌ字型の差込片を先に前記係合孔に嵌挿し、続いて前記Ｕ字型のフック片を嵌挿することにより簡単に前記カバー部材を取り付けることが出来る。また、前記バネ性を有したＵ字型係止爪部が前記係合孔の縁面と圧接して係合を確実に維持すると共に、前記カバー部材を取り外すときは、前記Ｕ字型のフック片の係合を先に解除してから該Ｕ字型の係止爪部側を持ち広げて前記Ｌ字型の差込片を引き抜くことにより簡単に係合を解除すること出来る。また、これら差込片とフック片が少なくとも前記カバー部材の下端縁寄りに配置されるとともに、前記差込片を挿入して前記カバー部材の一端を引っ掛ける前記係合孔と、フック片と係止して該カバー部材を固定する前記係合孔とが前記段差凹部の立ち上り壁に形成され、その立ち上り壁と対向して前記抑制用壁が一体形成されていることにより、前記横長で特に撓み易いカバー部材の下端寄りが不用意に外力を受けて撓み、前記係止爪部が外れそうになった場合でも、前記立ち上り壁と対向して前記係止爪部の背面側に形成した抑制用壁がこの動きを抑制することにより係止爪部が係合孔から外れて前記カバー部材が前記背面筐体から離脱することを防止することが出来る。
【００１８】
請求項３に係るカバー部材の係止手段を備えた液晶型テレビの発明によれば、前記抑制用壁の高さは前記係合孔の上部高さと概ね一致していることによりカバー部材が係止状態にあるときは前記差込片と前記フック片を係止してカバー部材が外れることを防止することが出来る。また、前記Ｌ字型係止爪部においては、先端がＬ字型に折れ曲がって突き出して形成した差込片を支持するＬ字型基部で差込片の背面には背面板を形成してあり、前記係止爪部と前記係合孔とが係合しているときは、前記差込片の長さが前記抑止用壁側の間隔より長いことにより、前記カバー部材が外力により撓み前記差込片が後退しても、差込片の背面側に形成した前記抑制用壁がＬ字型基部の背面板に当接して前記差込片がそれ以上後退することを抑制するので係合が外れることを防止することが出来る。また、前記Ｕ字型係止爪部においても、前記フック片の長さが前記抑止用壁側の間隔より長いことにより前記カバー部材が外力により撓み前記差込片が後退しても、背面側に形成した前記抑制用壁がＵ字型基部の背面板に当接して前記差込片がそれ以上後退することを抑制するので係合が外れてカバー部材が離脱することを防止することが出来る。
【００１９】
請求項４に係るカバー部材の係止手段を備えた液晶型テレビの発明によれば、前記抑制用壁は前記差込片と前記フック片に対して、該２種類の係止爪部の背面側と両側面側とを囲う枠型に形成したことにより、前記カバー部材を取り付けるときは前記係止爪部の嵌挿位置を案内する壁面としての機能を果たすことによりカバー部材の取り付けを容易とすると共に、係止状態においては前記抑制用壁の強度を補い、且つ係止爪部が側面側と背面側に移動することを抑制することが出来るのでカバー部材が不用意な外力を受けて撓むことにより前記背面筐体から離脱することを防止することが出来る。
【発明を実施するための最良の形態】
【００２０】
以下、本発明を実施するための最良の形態としての実施例を図１〜図７により以下に説明する。もちろん、本発明は、その発明の趣旨に反さない範囲で、実施例において説明した以外のものに対しても容易に適用可能なことは説明を要するまでもない。
【００２１】
図１は本発明における一実施例を示す背面筐体とカバー部材の概略の構成を示す部分説明図であり、図２は液晶型テレビの全体を前面から見た斜視図である。また、図３は図２に示す液晶型テレビを後側から見た背面図である。
【００２２】
図２において液晶型テレビ１の筐体４の前面には液晶表示部２が配置されており、前記筐体４の底面側を支えるスタンド３と、前記筐体４背面側には図３に示す背面筐体５が配置され、該背面筐体５の下側には図示しない横長の段差凹部を形成し、該段差凹部には図示しない複数の入出力端子類や電源コードなどのコード類８を下向きに配置することを可能とする図示しない開口窓が形成されており、図３においてはコード類８が引き出された状態を示している。また、前記段差凹部を覆う横長のカバー部材６が配置され、該カバー部材６の両横端と前記段差凹部の両横壁面とを着脱可能に係止するカバー部材６の係止手段とを備えた液晶型テレビ１である。
【００２３】
続いて図１により前記液晶型テレビ１の背面筐体５とカバー部材６の概要を説明する。図１は前記背面筐体５の段差凹部１１を覆う前記横長なカバー部材６を取り外した状態であり、図では手前側が下方向である。前記背面筐体５下側に横長に形成した前記段差凹部１１の下向き壁面１２には複数の入出力端子類７を配置可能とし電源コード８を引き出す開口窓１３が開口している。また、前記下向き壁面１２の上縁寄りの左右にカバー部材６を支持する鈎形フック６０が配置されている。前記段差凹部１１の中央の下側、図では手前側には一段高く突き出して前記カバー部材６を内側から支えるレバー形フック６１が形成されている。更に前記カバー部材６の両横端４１，５１から前記段差凹部１１の両横壁面１５，１６側に突き出して該カバー部材６と一体的に形成された係止爪部４２，５２が一端４１側に２箇所、他端５１側に２箇所配置されている。また前記係止爪部４２，５２と対向する前記段差凹部１１の両横壁面１５，１６には前記係止爪部４２，５２と係合する係合孔１７を開口させて係合を可能とし、前記係止爪部４２，５２が前記係合孔１７と係合した後は前記係止爪部４２，５２の背面側に前記係止爪部４２，５２の係合解除方向の動きを抑制する抑制用壁２０を前記段差凹面１１から突き出して枠型に一体に形成している。
【００２４】
続いて図４は本発明におけるカバー部材の一端側に設けたＬ字型係止爪部と背面筐体の段差凹部に設けた係合孔の一部断面を含む拡大斜視図であり、図５はカバー部材の他端側に設けたＵ字型係止爪部と背面筐体の段差凹部に設けた係合孔の一部断面を含む拡大斜視説明図である。図６はカバー部材を背面筐体に取り付けたときの係止爪部を示す断面図であり、差込片およびフック片の長さと背面に設けた抑制用壁の間隔との関係を示す説明図である。図７は前記図６の状態でカバー部材に外力が加わって撓み、抑制用壁が係止爪部の外れを抑制している状態を示す説明図である。
【００２５】
図４において、カバー部材６の下端縁寄りに設けたＬ字型係止爪部４２にはカバー部材６からＬ字型基部４３が突き出してＬ字型に折れ曲がった差込片４４が形成されていると共に前記Ｌ字型基部４３の背面には背面板４５が形成されている。一方、背面筐体５の段差凹部１１の横壁面１５には前記Ｌ字型係止爪部４２と対向する位置に係合孔１７を形成すると共に、該係合孔１７に隣接して抑制用壁２０が前記係合孔１７に向かって枠型の壁を形成しており、カバー部材６を背面筐体５に取り付けるときは図１に示すカバー部材６のＵ字型係止爪部５２側である他端側５１を持ち広げて前記Ｌ字型係止爪部４２の差込片４４を係合孔１７に対して斜め上方向から嵌挿し、続いて前記カバー部材６の他端側５１を下げるとＬ字型基部４３を前記枠型の抑制用壁２０の懐へと容易に嵌挿することが出来る。また、前記カバー部材６を取り外すときは予めＵ字型係止爪部５２側の係合を解除して該Ｕ字型係止爪部５２側を持ち広げることにより前記差込片４４を係合孔１７に対して斜め上方向に引き抜くことで容易に取り外すことが出来る。
【００２６】
また図５では、カバー部材６の下端縁寄りに設けたＵ字型係止爪部５２にはカバー部材６からＵ字型基部５３が突き出してＵ字型に折れ曲がり、Ｕ字型先端部５５寄りにフック片５４が形成されている。一方、背面筐体５の段差凹部１１の横壁面１６には前記Ｕ字型係止爪部５２と対向する位置に係合孔１７を開口して形成していると共に、該係合孔１７に隣接して抑制用壁２０が前記係合孔１７に向かって枠型の壁を形成しており、前記Ｌ字型係止爪部４２側を係合した後は、Ｕ字型係止爪部５２のＵ字型基部５３を前記係合孔１７と抑制用壁２０を目印にして位置を合わせ、軽く押すことにより、前記バネ性を持たせたことにより前記フック片は前記係合孔１７に嵌挿し、同時にＵ字型基部５３を前記枠型の抑制用壁２０の懐へと嵌挿することが出来る。
【００２７】
次に、図６によりカバー部材６を背面筐体５に取り付けたときの係止爪部４２，５２について説明する。図の左側はカバー部材６の一端側４１でＬ字型係止爪部４２は差込片４４のほぼ全長（Ａ）が前記横壁面１５に形成された係合孔１７に嵌挿されて係合し、前記枠型に形成した抑制用壁２０との間に所定の間隔（Ｂ）をもって係止している。また、図の右側はカバー部材６の他端側５１でありＵ字型係止爪部５２はフック片５４のほぼ全長（Ｃ）が係合孔１７に嵌挿されて係合していると共に、バネ性を持たせたＵ字型基部５３が前記横壁面１６に圧接している。更に前記抑制用壁２０によりＵ字型基部５３の背面は前記枠型に形成した抑制用壁２０との間に所定の間隔（Ｄ）をもって係止している。
【００２８】
ここで前記２種類の係止爪部４２，５２において、カバー部材６の着脱操作のやり易さと不用意な外力（Ｆ）を受けても外れ難い、前記２種類の差込片４４、フック片５４の長さ（Ａ），（Ｃ）と前記２種類の係止爪部４２，５２の基部４３，５３の背面と前記抑制用壁２０との間隔（Ｂ），（Ｄ）の好ましい関係について説明する。前記Ｌ字型係止爪部４２側において、（Ａ）と（Ｂ）の長さが同じ、或いは（Ａ）が（Ｂ）より短い場合は、背面に設けた抑制用壁２０がＬ字型基部４３の背面板４５に当接して抜けを抑制することが出来ず、不用意な外力（Ｆ）により図７に示すようにカバー部材６が大きく撓んだ場合に、前記係合孔１７から前記差込片４４が斜め上に持ち広げられる方向に力が働くため係合は外れてしまい、カバー部材６が離脱することとなる。また、前記Ｕ字型係止爪部５２側においても同様に、（Ｃ）と（Ｄ）の長さが同じ、或いは（Ｃ）が（Ｄ）より短い場合は、背面に設けた抑制用壁２０がＵ字型基部５３の背面に当接して抜けを抑制することが出来ず、不用意な外力（Ｆ）により図７に示すようにカバー部材６が大きく撓んだ場合に、前記係合孔１７から前記フック片５４が斜め上に持ち広げられる方向に力が働くため係合は外れてしまい、カバー部材６が離脱することとなる。
【００２９】
従って、前記２種類の差込片４４、フック片５４の長さ（Ａ），（Ｃ）と前記２種類の差込片４４、フック片５４の基部４３，５３の背面と前記抑制用壁２０との間隔（Ｂ），（Ｄ）の好ましい関係は、Ｌ字型係止爪部４２側においては差込片４４の長さ（Ａ）が背面側の間隔（Ｂ）より長い、（Ａ）＞（Ｂ）の関係であり、Ｕ字型係止爪部５２側においてもフック片５４の長さ（Ｃ）が背面側の間隔（Ｄ）より長い、（Ｃ）＞（Ｄ）の関係式が成り立つことが好ましく、この関係を確保することにより、図７のように横長で撓み易いカバー部材６が不用意な外力（Ｆ）により撓み方向の変形を受けても前記抑制用壁２０が、差込片４４とフック片５４が後退して抜けることを抑制し、カバー部材６が背面筐体５から離脱することを防止することが出来る。
【００３０】
以上のように、本発明のカバー部材６の係止手段を備えた液晶型テレビによれば、液晶テレビ１の背面筐体５の下側に段差凹部１１を設け、該段差凹部１１の下向き壁面１２に開口させた開口窓１３に配置した入出力端子類７と図示しない外部電子機器とを接続するコード類８を覆う横長で撓み易いカバー部材６を配置して前記背面筐体５と係合して係止するにあたり、該カバー部材６の横方向の両端部４１，５１に形成したＬ字型係止爪部４２とＵ字型係止爪部５２を採用することにより前記カバー部材６を人為的に着脱可能な構造としている。まず、カバー部材６を取り付けるには、Ｕ字型係止爪部５２側を持ち広げて斜めにし、Ｌ字型係止爪部４２の差込片４４を先に嵌挿して係合し、続いてカバー部材６を背面筐体５と平行にしてからＵ字型係止爪部５２側を押して前記背面筐体５に設けた段差凹部１１の横壁面１６に開口して形成した係合孔１７にフック片５４を嵌挿して係合する。また、逆にカバー部材６を取り外すときは、Ｕ字型先端側を摘んでフック片５４の係合を解除し、続いて前記カバー部材６のＵ字型係止爪部５２側を持ち広げて斜めにし、Ｌ字型係止爪部４２の差込片４４を斜め方向に抜くことで簡単且つ容易に前記カバー部材６を取り外すことが出来る。また、不用意な外力（Ｆ）により前記係止爪部４２，５２が前記係合孔１７から抜けることを防止する抑制用壁２０を新たに形成して配置し、更に前記差込片４４及びフック片５４の長さ（Ａ），（Ｃ）と、前記係止用爪部４２，５２の背面と抑制用壁２０との間隔（Ｂ），（Ｄ）の関係の好ましくは前記差込片４４及びフック片５４の長さ（Ａ），（Ｃ）が各々前記抑制用壁２０側の間隔（Ｂ），（Ｄ）より長くすることにより、横長で撓み易い前記カバー部材６が外力（Ｆ）によって撓み、離脱することを防止することが出来るので前記背面筐体５の下側から引き出されるコード類８を十分に保護することが出来る。
【００３１】
また、前記カバー部材６の係止手段により、前記下向きに統一されて引き出されるコード類８は整然と配列することが可能であり、更に前記コード類８の接続部近傍をカバー部材６で覆うことが可能となったことから、前記液晶型テレビ１の美観は向上し、壁掛け用として、或いはスタンド３による据え置き用として該液晶型テレビ１を任意に配置して心地よく視聴することが出来る。
【００３２】
以上、本実施例を詳述したが、本発明は、前記実施例に限定されるものではなく、本発明の要旨の範囲内で種々の変形実施が可能である。例えば、カバー部材６の両横端側４１，５１に各々２箇所形成したＬ字型係止爪部４２とＵ字型係止爪部５２は２箇所に限らず、カバー部材６が外力により外れることを防止することが可能な状態であれば良く、また、鈎形フック６０やレバー形フック６１の配置もカバー部材６の撓み易さを配慮して配置する数や位置を変更するなど前記実施例に限定されるものではなく、適宜選定すればよい。
【図面の簡単な説明】
【００３３】
【図１】本発明の一実施例を示す背面筐体にカバー部材を取り付け前の状態を下側から見た斜視説明図である。
【図２】本発明の一実施例を示す液晶型テレビの前面側を示す斜視説明図である。
【図３】本発明の一実施例を示す液晶型テレビの背面説明図である。
【図４】本発明の一実施例を示すカバー部材の一端側に設けたＬ字型係止爪部と背面筐体の段差凹部壁面に設けた係合孔を示す斜視説明図である。
【図５】本発明の一実施例を示すカバー部材の他端側に設けたＵ字型係止爪部と背面筐体の段差凹部壁面に設けた係合孔を示す斜視説明図である。
【図６】本発明の一実施例を示すカバー部材を背面筐体に取り付けた状態の係止爪部と係合孔の係合状態を示す断面説明図である。
【図７】本発明の一実施例を示すカバー部材に外力が加わり撓みによって係止爪部が外れかけても抑制用壁が抜けを防止している状態を示す断面説明図である。
【図８】従来の電池ケースにおけるカバー部材の取付け構造を示す断面説明図である。
【図９】従来の液晶型テレビにおける背面筐体にカバー部材を取付け前の状態を下側から見た斜視説明図である。
【図１０】従来のカバー部材の一端側に設けたＬ字型係止爪部と背面筐体の段差凹部壁面に設けた係合孔を示す斜視説明図である。
【図１１】従来のカバー部材の他端側に設けたＵ字型係止爪部と背面筐体の段差凹部壁面に設けた係合孔を示す斜視説明図である。
【図１２】従来のカバー部材を背面筐体に取り付けた状態の係止爪部と係合孔の係合状態を示す断面説明図である。
【図１３】従来のカバー部材に外力が加わり撓みによって係止爪部が外れかけている状態を示す断面説明図である。
【符号の説明】
【００３４】
１          液晶型テレビ
２          液晶表示部
３          スタンド
４          筐体
５          背面筐体
６          カバー部材
７          入出力端子
８          電源コードなどコード類
１１        段差凹部
１２        下向き壁面
１３        開口窓
１５        横壁面の一方（立ち上がり壁）
１６        横壁面の他方（立ち上がり壁）
１７        係合孔
２０        抑制用壁
４１        一端側（横端側）
４２        Ｌ字型係止爪部
４３        Ｌ字型基部
４４        差込片
４５        背面板
５１        他端側（横端側）
５２        Ｕ字型係止爪部
５３        Ｕ字型基部
５４        フック片
【図１】
2006067380.tif 000003
【図２】
2006067380.tif 000004
【図３】
2006067380.tif 000005
【図４】
2006067380.tif 000006
【図５】
2006067380.tif 000007
【図６】
2006067380.tif 000008
【図７】
2006067380.tif 000009
【図８】
2006067380.tif 000010
【図９】
2006067380.tif 000011
【図１０】
2006067380.tif 000012
【図１１】
2006067380.tif 000013
【図１２】
2006067380.tif 000014
【図１３】
2006067380.tif 000015